(57)【要約】【課題】  様々な形式のメモリ・カードの暗号化および解読を可能にするフラッシュ・メモリ暗号化デバイスを提供すること。【解決手段】  １つの室を形成するために互いに係合することができる上部ハウジングと下カバーとを有し、さらに開口部を有するハウジングと、  前記の室の中に配設された印刷回路板と、  少なくとも１つのメモリ・カードの挿入または取り出しを行うために、前記印刷回路板に配設されて前記開口部の外側に露出した第１コネクタと、  前記第１コネクタからデータを受け取り、暗号化または解読、次いで出力を実行するために、前記印刷回路板の上に配設されて前記第１コネクタに結合されているコントローラと、  前記フラッシュ・メモリ暗号化デバイスをホスト・コンピュータに接続するために、前記印刷回路板の上に配設されて前記コントローラに結合されている第２コネクタとを備えること、からなる。【選択図】図１
0003114800.tif 000002
【実用新案登録請求の範囲】
【請求項１】
様々な形式のメモリ・カードの便利な挿入または取り出しを可能にするフラッシュ・メモリ暗号化デバイスであって、
１つの室を形成するために互いに係合することができる上部ハウジングと下カバーとを有し、さらに開口部を有するハウジングと、
前記の室の中に配設された印刷回路板と、
少なくとも１つのメモリ・カードの挿入または取り出しを行うために、前記印刷回路板に配設されて前記開口部の外側に露出した第１コネクタと、
前記第１コネクタからデータを受け取り、暗号化または解読、次いで出力を実行するために、前記印刷回路板の上に配設されて前記第１コネクタに結合されているコントローラと、
前記フラッシュ・メモリ暗号化デバイスをホスト・コンピュータに接続するために、前記印刷回路板の上に配設されて前記コントローラに結合されている第２コネクタと
を備えることを特徴とするフラッシュ・メモリ暗号化デバイス。
【請求項２】
前記ハウジングがプラスチック材料で作られていることを特徴とする請求項１に記載のフラッシュ・メモリ暗号化デバイス。
【請求項３】
前記ハウジングがさらに、前記上部ハウジングの前側部に配設された第２開口部と、第３開口部と、孔とを含むことを特徴とする請求項１に記載のフラッシュ・メモリ暗号化デバイス。
【請求項４】
前記第１コネクタがさらに、前記メモリ・カードを排出するための、前記第２開口部から外側に露出した排出機構を含むことを特徴とする請求項３に記載のフラッシュ・メモリ暗号化デバイス。
【請求項５】
前記開口部から突き出てワイヤを通じて前記コントローラに結合されているロック・シートをさらに含み、これによって、暗号化／解読データ機能を実行するか否かについて前記コントローラを制御するために、前記ロック・シートの中にキーを挿入することができることを特徴とする請求項３に記載のフラッシュ・メモリ暗号化デバイス。
【請求項６】
前記コントローラのアクセス状況を表示するために、前記孔の中に配設されて前記コントローラに結合されたパワー・インジケータをさらに含むことを特徴とする請求項３に記載のフラッシュ・メモリ暗号化デバイス。
【請求項７】
前記第１コネクタが、様々なメモリ・カードをはめ込むためのある一定の機構を有するＰＣＭＣＩＡコネクタであることを特徴とする請求項１に記載のフラッシュ・メモリ暗号化デバイス。
【請求項８】
前記第１コネクタがＩＤＥインタフェースを有することを特徴とする請求項７に記載のフラッシュ・メモリ暗号化デバイス。
【請求項９】
前記コントローラが特定用途向け集積回路であることを特徴とする請求項１に記載のフラッシュ・メモリ暗号化デバイス。
【請求項１０】
前記第２コネクタが、ＳＡＴＡ、ＩＤＥ、ＳＣＳＩ、ＵＳＢ、Ｆｉｒｅｗｉｒｅ、またはＵＳＩＢインタフェースであることを特徴とする請求項１に記載のフラッシュ・メモリ暗号化デバイス。
【請求項１１】
様々な形式のメモリ・カードの便利な挿入または取り出しを可能にするフラッシュ・メモリ暗号化デバイスであって、
コンピュータ・ハウジングの中にはめ込まれたハウジングであって、前側パネルと室とを有し、前記前側パネルは前記コンピュータ・ハウジングから露出させることができ、さらに開口部を含む、ハウジングと、
前記の室の中に配設された印刷回路板と、
少なくとも１つのメモリ・カードの挿入または取り出しを行うために、前記印刷回路板に配設されて前記開口部の外側に露出した第１コネクタと、
前記第１コネクタからデータを受け取り、暗号化または解読、次いで出力を実行するために、印刷回路板の上に配設されて前記第１コネクタに結合されているコントローラと、
前記フラッシュ・メモリ暗号化デバイスをホスト・コンピュータに接続するために、前記印刷回路板の上に配設されて前記コントローラに結合されている第２コネクタと
を備えることを特徴とするフラッシュ・メモリ暗号化デバイス。
【請求項１２】
前記ハウジングを、前記コンピュータ・ハウジングの標準３．５インチ・ドライブ・ベイの中にはめ込むことができ、前記ハウジングはプラスチック材料で作られていることを特徴とする請求項１１に記載のフラッシュ・メモリ暗号化デバイス。
【請求項１３】
前記前側パネルがさらに、第２開口部と、第３開口部と、孔とを備えていることを特徴とする請求項１１に記載のフラッシュ・メモリ暗号化デバイス。
【請求項１４】
前記第１コネクタがさらに、前記メモリ・カードを排出するための、前記第２開口部から外側に露出した排出機構を含むことを特徴とする請求項１３に記載のフラッシュ・メモリ暗号化デバイス。
【請求項１５】
前記第３開口部から突き出てワイヤを通じて前記コントローラに結合されているロック・シートをさらに含み、これによって、暗号化／解読データ機能を実行するか否かについて前記コントローラを制御するために、前記ロック・シートの中にキーを挿入することができることを特徴とする請求項１３に記載のフラッシュ・メモリ暗号化デバイス。
【請求項１６】
前記コントローラのアクセス状況を表示するために、前記孔の中に配設されて前記コントローラに結合されたパワー・インジケータをさらに含むことを特徴とする請求項１３に記載のフラッシュ・メモリ暗号化デバイス。
【請求項１７】
前記第１コネクタが、様々なメモリ・カードをはめ込むためのある一定の機構を有するＰＣＭＣＩＡコネクタであることを特徴とする請求項１１に記載のフラッシュ・メモリ暗号化デバイス。
【請求項１８】
前記第１コネクタはＩＤＥインタフェースを有し、前記第２コネクタは、ＳＡＴＡ、ＩＤＥ、ＳＣＳＩ、ＵＳＢ、Ｆｉｒｅｗｉｒｅ、またはＵＳＩＢインタフェースであることを特徴とする請求項１７に記載のフラッシュ・メモリ暗号化デバイス。
【請求項１９】
前記コントローラが特定用途向け集積回路であることを特徴とする請求項１１に記載のフラッシュ・メモリ暗号化デバイス。
【請求項２０】
前記ハウジングがさらに、前記コンピュータ・ハウジングの内部へのダストを防止するために前記ハウジングの上を取り外し可能に被うことができるカバーを含むことを特徴とする請求項１１に記載のフラッシュ・メモリ暗号化デバイス。
【考案の詳細な説明】
【技術分野】
【０００１】
本考案は、メモリ・カードのデータを保護するという目標を達成するように、様々な形式のメモリ・カードの暗号化または解読を可能にするフラッシュ・メモリ暗号化デバイスに関する。
【背景技術】
【０００２】
科学技術の発達に伴って、メモリ・カードのメーカーは、ＳｍａｒｔＭｅｄｉａ、ＣｏｍｐａｃｔＦｌａｓｈ、ＭＭＣ、Ｓｅｃｕｒｉｔｙ  Ｄｉｇｉｔａｌ（ＳＤ）、Ｍｅｍｏｒｙ  Ｓｔｉｃｋ、Ｍｅｍｏｒｙ  Ｓｔｉｃｋ  Ｐｒｏ、ｘＤまたはＭｉｃｒｏｄｒｉｖｅ、Ｍｅｍｏｒｙ  Ｓｔｉｃｋ  Ｄｕｏ、Ｍｅｍｏｒｙ  Ｓｔｉｃｋ  Ｐｒｏ  Ｄｕｏメモリ・カードなどの、多くの様々な形式のメモリ・カードをすでに生産しており、様々なデータを読み出すために多くのカード・リーダが設計された。
【０００３】
ＳｍａｒｔＭｅｄｉａ、ＣｏｍｐａｃｔＦｌａｓｈ、ＭＭＣ、Ｓｅｃｕｒｉｔｙ  Ｄｉｇｉｔａｌ（ＳＤ）、Ｍｅｍｏｒｙ  Ｓｔｉｃｋ、Ｍｅｍｏｒｙ  Ｓｔｉｃｋ  Ｐｒｏ、ｘＤまたはＭｉｃｒｏｄｒｉｖｅ、Ｍｅｍｏｒｙ  Ｓｔｉｃｋ  Ｄｕｏ、Ｍｅｍｏｒｙ  Ｓｔｉｃｋ  Ｐｒｏ  Ｄｕｏメモリ・カードなどの、様々なカードを読み出すために、多くのマルチインワン・フラッシュ・メモリ・カード読取装置が市場において製造されてきた。しかし、従来技術のフラッシュ・メモリ・カード読取装置は、メモリ・カードのデータを他のユーザによる誤読から保護する能力を持たなかったので、メモリ・カードのデータがどのフラッシュ・メモリ・カード読取装置によっても読み出し可能であり、したがって、従来技術のメモリ・カード読取装置はデータ・セキュリティの要件を満たすことができないはずであるため、メモリ・カードの所有者は、自分のカードを紛失しないように自分のカードを極めて注意深く保持しなければならない。
【０００４】
したがって、これらの欠陥を克服するために新しい改善された戦略と技法が必要であり、本考案はこれらの欠陥を新規な方式で克服するものである。
【考案の開示】
【考案が解決しようとする課題】
【０００５】
本考案は一般に、従来のメモリ・カード読取装置に関連する上述の欠陥の一部または全部を克服する戦略および技法に関する。
【０００６】
本考案の第１の限定されない目的は、様々な形式のメモリ・カードの暗号化および解読を可能にするフラッシュ・メモリ暗号化デバイスを提供することである。
【課題を解決するための手段】
【０００７】
本考案の限定されない一実施形態によれば、フラッシュ・メモリ暗号化デバイスは、１つの室を形成するために互いに係合することができる上部ハウジングと下カバーとを有し、さらに開口部を有するハウジングと、前記の室の中に配設された印刷回路板と、少なくとも１つのメモリ・カードの挿入または取り出しを行うために、前記印刷回路板に配設されて前記開口部の外側に露出した第１コネクタと、第１コネクタからデータを受け取り、暗号化または解読、次いで出力を実行するために、印刷回路板の上に配設されて第１コネクタに結合されているコントローラと、フラッシュ・メモリ暗号化デバイスをホスト・コンピュータに接続するために、印刷回路板の上に配設されてコントローラに結合されている第２コネクタとを備えている。
又、前記ハウジングがプラスチック材料で作られていることが好適である。
又、前記ハウジングがさらに、前記上部ハウジングの前側部に配設された第２開口部と、第３開口部と、孔とを含むことが好適である。
又、前記第１コネクタがさらに、前記メモリ・カードを排出するための、前記第２開口部から外側に露出した排出機構を含むことが好適である。
又、前記開口部から突き出てワイヤを通じて前記コントローラに結合されているロック・シートをさらに含み、これによって、暗号化／解読データ機能を実行するか否かについて前記コントローラを制御するために、前記ロック・シートの中にキーを挿入することができることが好適である。
又、前記コントローラのアクセス状況を表示するために、前記孔の中に配設されて前記コントローラに結合されたパワー・インジケータをさらに含むことが好適である。
又、前記第１コネクタが、様々なメモリ・カードをはめ込むためのある一定の機構を有するＰＣＭＣＩＡコネクタであることが好適である。
又、前記第１コネクタがＩＤＥインタフェースを有することが好適である。
又、前記コントローラが特定用途向け集積回路であることが好適である。
又、前記第２コネクタが、ＳＡＴＡ、ＩＤＥ、ＳＣＳＩ、ＵＳＢ、Ｆｉｒｅｗｉｒｅ、またはＵＳＩＢインタフェースであることが好適である。
さらに、様々な形式のメモリ・カードの便利な挿入または取り出しを可能にするフラッシュ・メモリ暗号化デバイスであって、
コンピュータ・ハウジングの中にはめ込まれたハウジングであって、前側パネルと室とを有し、前記前側パネルは前記コンピュータ・ハウジングから露出させることができ、さらに開口部を含む、ハウジングと、
前記の室の中に配設された印刷回路板と、
少なくとも１つのメモリ・カードの挿入または取り出しを行うために、前記印刷回路板に配設されて前記開口部の外側に露出した第１コネクタと、
前記第１コネクタからデータを受け取り、暗号化または解読、次いで出力を実行するために、印刷回路板の上に配設されて前記第１コネクタに結合されているコントローラと、
前記フラッシュ・メモリ暗号化デバイスをホスト・コンピュータに接続するために、前記印刷回路板の上に配設されて前記コントローラに結合されている第２コネクタと、からなる。
又、前記ハウジングを、前記コンピュータ・ハウジングの標準３．５インチ・ドライブ・ベイの中にはめ込むことができ、前記ハウジングはプラスチック材料で作られていることが好適である。
又、前記前側パネルがさらに、第２開口部と、第３開口部と、孔とを備えていることが好適である。
又、前記第１コネクタがさらに、前記メモリ・カードを排出するための、前記第２開口部から外側に露出した排出機構を含むことが好適である。
又、前記第３開口部から突き出てワイヤを通じて前記コントローラに結合されているロック・シートをさらに含み、これによって、暗号化／解読データ機能を実行するか否かについて前記コントローラを制御するために、前記ロック・シートの中にキーを挿入することができることが好適である。
又、前記コントローラのアクセス状況を表示するために、前記孔の中に配設されて前記コントローラに結合されたパワー・インジケータをさらに含むことが好適である。
又、前記第１コネクタが、様々なメモリ・カードをはめ込むためのある一定の機構を有するＰＣＭＣＩＡコネクタであることが好適である。
又、前記第１コネクタはＩＤＥインタフェースを有し、前記第２コネクタは、ＳＡＴＡ、ＩＤＥ、ＳＣＳＩ、ＵＳＢ、Ｆｉｒｅｗｉｒｅ、またはＵＳＩＢインタフェースであることが好適である。
又、前記コントローラが特定用途向け集積回路であることが好適である。
又、前記ハウジングがさらに、前記コンピュータ・ハウジングの内部へのダストを防止するために前記ハウジングの上を取り外し可能に被うことができるカバーを含むことが好適である。
【考案を実施するための最良の形態】
【０００８】
下記の説明と添付の図面を参照して、本考案をさらに完全に理解することができる。
【０００９】
図１を参照すると、本考案の一実施形態によるフラッシュ・メモリ暗号化デバイスの分解図が示されており、この図に示すように、様々な形式のフラッシュ・メモリ・カードの便利な挿入または取り出しを可能にするフラッシュ・メモリ暗号化デバイスは、ハウジング１０と、印刷回路板２０と、第１コネクタ３０と、コントローラ４０と、第２コネクタ５０とを備えている。
【００１０】
ここで、ハウジング１０は好ましくはプラスチック材料によって作られ、１つの室１３を形成するために互いに係合することができる上部ハウジング１１と下カバー１２とを有し、ハウジング１０はさらに、上部ハウジング１１の前側部に配設された第１開口部１４と、第２開口部１５と、第３開口部１６と、孔１７とを含み、前記第１開口部１４は、メモリ・カード６０を第１コネクタ３０の中に挿入するかまたはこれから除去するために使用される。この場合、メモリ・カード６０をＳｍａｒｔＭｅｄｉａ、ＣｏｍｐａｃｔＦｌａｓｈ、ＭＭＣ、Ｓｅｃｕｒｉｔｙ  Ｄｉｇｉｔａｌ（ＳＤ）、Ｍｅｍｏｒｙ  Ｓｔｉｃｋ、Ｍｅｍｏｒｙ  Ｓｔｉｃｋ  Ｐｒｏ、ｘＤ、またはＭｉｃｒｏｄｒｉｖｅメモリ・カードにすることができる。
【００１１】
印刷回路板２０は、第１コネクタ３０と、コントローラ４０と、第２コネクタ５０とを支えるために室１３の中に配設されている。
【００１２】
第１コネクタ３０は、少なくとも１つのメモリ・カード６０を第１コネクタ３０の中に挿入またはこれから取り出すことができるように、印刷回路板２０の上に配設されて開口部１４の外側に露出している。第１コネクタ３０はさらに、メモリ・カード６０を第１コネクタ３０から排出するための、第２開口部１５から外側に露出した排出機構３１を含む。さらにまた、様々なメモリ・カード６０をぴったりはめ込むことを目的として、第１コネクタ３０はさらにある一定の機構３２を含む（図２を参照されたい）。この場合、第１コネクタ３０はＩＤＥインタフェースを有するＰＣＭＣＩＡコネクタである。
【００１３】
コントローラ４０は印刷回路板２０の上に配設されており、第１コネクタの中に挿入されたメモリ・カード６０からデータを受け取って暗号化または解読動作を実行し、次いで第２コネクタ５０に出力するために、第１コネクタ３０に結合されている。ここで、コントローラ４０はＩＤＥインタフェースを有する特定用途向け集積回路（ＡＳＩＣ）であり、データ暗号化と解読の能力を有する。
【００１４】
第２コネクタ５０は、印刷回路板２０の上に配設され、本考案のフラッシュ・メモリ暗号化デバイスをホスト・コンピュータ（図示せず）に接続するためにコントローラ４０に結合されている。この場合、第２コネクタ５０は、ＳＡＴＡ、ＩＤＥ、ＳＣＳＩ、ＵＳＢ、Ｆｉｒｅｗｉｒｅ、またはＵＳＩＢインタフェースであり、ＩＤＥはコントローラ４０に合わせるためであることが好ましい。
【００１５】
図２を参照すると、本考案の一実施形態による第１コネクタ３０の拡大図が示されており、図２に示すように、ＳｍａｒｔＭｅｄｉａ、ＣｏｍｐａｃｔＦｌａｓｈ、ＭＭＣ、Ｓｅｃｕｒｉｔｙ  Ｄｉｇｉｔａｌ（ＳＤ）、Ｍｅｍｏｒｙ  Ｓｔｉｃｋ、Ｍｅｍｏｒｙ  Ｓｔｉｃｋ  Ｐｒｏ、ｘＤ、またはＭｉｃｒｏｄｒｉｖｅメモリ・カードなどの様々なメモリ・カード６０をはめ込むことを目的として、第１コネクタ３０はさらに第１コネクタ３０の中に配設されたある一定の機構３２を含む。ここで、機構３２は従来技術のコネクタであるから、ここでは詳細に論述しない。
【００１６】
図３を参照すると、本考案の一実施形態によるフラッシュ・メモリ暗号化デバイスの組立図が示されており、図３に示すように、本考案のフラッシュ・メモリ暗号化デバイスを組み立てるとき、第１コネクタ３０とコントローラ４０と第２コネクタ５０とを有する印刷回路板２０を最初に配設して、下部ハウジング１２の室１３の中に固定し、次に上部ハウジング１１を下部ハウジング１２に被せ、次いで第１コネクタ３０を開口部１４の外側に露出させ、こうしてメモリ・カード６０の第１コネクタ３０への挿入とこれからの取り出しを便利にする。
【００１７】
コントローラ４０を制御してデータ暗号化／解読機能を実行するために、本考案のフラッシュ・メモリ暗号化デバイスはさらに、第３開口部１６から突き出てワイヤ４６を通じてコントローラ４０に結合されているロック・シート４５を含み、これによって、暗号化／解読データ機能を実行するか否かについてコントローラ４０を制御するために、ロック・シート４５の中にキー４７を挿入することができる。コントローラ４０は、キー４７をロック・シート４５の中に挿入してｏｎ位置に回したときにデータ暗号化／解読機能を実行し、ロック・シート４５をｏｆｆに回したときにはデータ暗号化／解読機能を実行せず、こうして本考案のフラッシュ・メモリ暗号化デバイスは、ロック・シート４５の状況に従ってメモリ・カード６０に対してデータ暗号化／解読機能を実行することができるようになる。
【００１８】
さらに、本考案のフラッシュ・メモリ暗号化デバイスは、フラッシュ・メモリ暗号化デバイスのアクセス状況を表示するためのインジケータも含み、この標示器は例えばＬＥＤであるがこれに限られるものではなく、印刷回路板２０の前縁部に配設されて、孔１７から突出している。
【００１９】
動作中、ユーザは、本考案のフラッシュ・メモリ暗号化デバイスの第２コネクタ５０とホスト・コンピュータ（図示せず）との間にケーブル７０を接続することができ、例えばＣｏｍｐａｃｔＦｌａｓｈメモリ・カードであるがこれに限られることはないメモリ・カード６０を第１コネクタ３０の中に挿入し、次にロック・シート４５の中にキー４７を挿入してキー４７をｏｎ位置に切り替えることができ、次にメモリ・カード６０に書き込まれ／メモリ・カード６０から読み出されるデータは暗号化／解読がなされ、本考案のフラッシュ・メモリ暗号化デバイスのキー４７を使用しなければメモリ・カード６０を読み出すことができず、こうしてメモリ・カード６０のデータを保護するという目的が達成される。
【００２０】
図４を参照すると、本考案の別の実施形態によるフラッシュ・メモリ暗号化デバイスの組立図が示されており、図４に示すように、本考案のフラッシュ・メモリ暗号化デバイスは、様々な形式のフラッシュ・メモリ・カードの便利な挿入または取り出しを可能にし、ハウジング８０と、印刷回路板２０と、第１コネクタ３０と、コントローラ４０と、第２コネクタ５０とを備えている。
【００２１】
ここで、印刷回路板２０、第１コネクタ３０、コントローラ４０、および第２コネクタ５０は、図１に示した同じ名称を有する部分と同じ機能を有するので、上記を参照されたい。
【００２２】
ハウジング８０を、前側パネル８１と室８２とを有する標準３．５インチ・ドライブ・ベイなどのコンピュータ・ハウジング（図示せず）にはめ込むことができ、前側パネル８１をコンピュータ・ハウジング８０から露出させることができ、前側パネル８１はさらに第１開口部８３と第２開口部８４と、第３開口部８５と、孔８６とを備えている。
【００２３】
ここで、第１コネクタ３０は、少なくとも１つのメモリ・カード６０を第１コネクタ３０の中に挿入するかまたはこれから取り出すようにするために、印刷回路板２０に配設されて開口部８３の外側に露出している。第１コネクタ３０はさらに、第１コネクタ３０からメモリ・カード６０を排出するための第２開口部８４から外側に露出した排出機構３１を含む。ここで、第１コネクタ３０はＩＤＥインタフェースを有するＰＣＭＣＩＡコネクタであり、第２コネクタは、ＳＡＴＡ、ＩＤＥ、ＳＣＳＩ、ＵＳＢ、Ｆｉｒｅｗｉｒｅ、またはＵＳＩＢインタフェースであることが好ましい。
【００２４】
コントローラ４０を制御してデータ暗号化／解読機能を実行するために、本考案のフラッシュ・メモリ暗号化デバイスはさらに、第３開口部８５から突き出てワイヤ４６を通じてコントローラ４０に結合されたロック・シート８７を含み、これによって、暗号化／解読データ機能を実行するか否かについてコントローラ４０を制御するために、ロック・シート８７の中にキー８８を挿入することができる。コントローラ４０は、キー８８をロック・シート８７の中に挿入してｏｎ位置に回したときにデータ暗号化／解読機能を実行し、ロック・シート８７をｏｆｆに回したときにはデータ暗号化／解読機能を実行せず、こうして本考案のフラッシュ・メモリ暗号化デバイスは、ロック・シート８７の状況に従ってメモリ・カード６０に対してデータ暗号化／解読機能を実行することができるようになる。
【００２５】
本考案のフラッシュ・メモリ暗号化デバイスを組み立てるとき、第１コネクタ３０とコントローラ４０と第２コネクタ５０とを有する印刷回路板２０を最初に配設して、ハウジング８０の室８２の中に固定し、次にハウジング８０をコンピュータ・ハウジング（図示せず）の標準３．５インチ・ドライブ・ベイの中に挿入し、メモリ・カード６０を便利に第１コネクタ３０の中に挿入するかまたはこれから取り出すように、第１コネクタ３０を開口部８３の外側に露出させ、最後に第２コネクタ５０とホスト・コンピュータ（図示せず）との間にケーブル７０を接続する。
【００２６】
動作中、ユーザは、例えばＣｏｍｐａｃｔＦｌａｓｈメモリ・カードであるがこれに限られることはないメモリ・カード６０を第１コネクタ３０の中に挿入し、次にロック・シート８７の中にキー８８を挿入してキー８８をｏｎ位置に切り替えることができ、次にメモリ・カード６０に書き込まれ／メモリ・カード６０から読み出されるデータは暗号化／解読がなされ、本考案のフラッシュ暗号化デバイスのキー８８を使用しなければメモリ・カード６０を読み出すことができず、こうしてメモリ・カード６０のデータを保護するという目的が達成される。
【００２７】
さらにまた、本考案のフラッシュ・メモリ暗号化デバイスはカバー８９を含み、このカバー８９を、コンピュータ・ハウジング（図示せず）の内部へのダストを防止するためにハウジング８０の上を取り外し可能に被うことができる。
【００２８】
本考案を、その好ましい実施形態を参照して開示したが、添付の実用新案登録請求の範囲に定義された本考案の精神から逸脱することなく、改訂または変更が容易にできることを理解すべきである。
【図面の簡単な説明】
【００２９】
【図１】本考案の一実施形態によるフラッシュ・メモリ暗号化デバイスの分解図である。
【図２】本考案の一実施形態による第１コネクタ３０の拡大図である。
【図３】本考案の一実施形態によるフラッシュ・メモリ暗号化デバイスの組立図である。
【図４】本考案の別の実施形態によるフラッシュ・メモリ暗号化デバイスの組立図である。
【符号の説明】
【００３０】
１０  ハウジング
１１  上部ハウジング
１２  下カバー
１３  室
１４  第１開口部
１５  第２開口部
１６  第３開口部
１７  孔
２０  印刷回路板
３０  第１コネクタ
３１  排出機構
３２  一定の機構
４０  コントローラ
４５  ロック・シート
４６  ワイヤ
４７  キー
５０  第２コネクタ
６０  メモリ・カード
７０  ケーブル
８０  ハウジング
８１  前側パネル
８２  室
８３  第１開口部
８４  第２開口部
８５  第３開口部
８６  孔
８７  ロック・シート
８８  キー
８９  カバー
【図１】
0003114800.tif 000003
【図２】
0003114800.tif 000004
【図３】
0003114800.tif 000005
【図４】
0003114800.tif 000006
【手続補正書】
【提出日】平成17年7月21日(2005.7.21)
【手続補正１】
【補正対象書類名】実用新案登録請求の範囲
【補正対象項目名】請求項１０
【補正方法】変更
【補正の内容】
【請求項１０】
前記第２コネクタが、ＳＡＴＡ、ＩＤＥ、ＳＣＳＩ、ＵＳＢ、Ｆｉｒｅｗｉｒｅ（登録商標）、またはＵＳＩＢインタフェースであることを特徴とする請求項１に記載のフラッシュ・メモリ暗号化デバイス。
【手続補正２】
【補正対象書類名】実用新案登録請求の範囲
【補正対象項目名】請求項１８
【補正方法】変更
【補正の内容】
【請求項１８】
前記第１コネクタはＩＤＥインタフェースを有し、前記第２コネクタは、ＳＡＴＡ、ＩＤＥ、ＳＣＳＩ、ＵＳＢ、Ｆｉｒｅｗｉｒｅ（登録商標）、またはＵＳＩＢインタフェースであることを特徴とする請求項１７に記載のフラッシュ・メモリ暗号化デバイス。
【手続補正３】
【補正対象書類名】明細書
【補正対象項目名】０００７
【補正方法】変更
【補正の内容】
【０００７】
本考案の限定されない一実施形態によれば、フラッシュ・メモリ暗号化デバイスは、１つの室を形成するために互いに係合することができる上部ハウジングと下カバーとを有し、さらに開口部を有するハウジングと、前記の室の中に配設された印刷回路板と、少なくとも１つのメモリ・カードの挿入または取り出しを行うために、前記印刷回路板に配設されて前記開口部の外側に露出した第１コネクタと、第１コネクタからデータを受け取り、暗号化または解読、次いで出力を実行するために、印刷回路板の上に配設されて第１コネクタに結合されているコントローラと、フラッシュ・メモリ暗号化デバイスをホスト・コンピュータに接続するために、印刷回路板の上に配設されてコントローラに結合されている第２コネクタとを備えている。
又、前記ハウジングがプラスチック材料で作られていることが好適である。
又、前記ハウジングがさらに、前記上部ハウジングの前側部に配設された第２開口部と、第３開口部と、孔とを含むことが好適である。
又、前記第１コネクタがさらに、前記メモリ・カードを排出するための、前記第２開口部から外側に露出した排出機構を含むことが好適である。
又、前記開口部から突き出てワイヤを通じて前記コントローラに結合されているロック・シートをさらに含み、これによって、暗号化／解読データ機能を実行するか否かについて前記コントローラを制御するために、前記ロック・シートの中にキーを挿入することができることが好適である。
又、前記コントローラのアクセス状況を表示するために、前記孔の中に配設されて前記コントローラに結合されたパワー・インジケータをさらに含むことが好適である。
又、前記第１コネクタが、様々なメモリ・カードをはめ込むためのある一定の機構を有するＰＣＭＣＩＡコネクタであることが好適である。
又、前記第１コネクタがＩＤＥインタフェースを有することが好適である。
又、前記コントローラが特定用途向け集積回路であることが好適である。
又、前記第２コネクタが、ＳＡＴＡ、ＩＤＥ、ＳＣＳＩ、ＵＳＢ、Ｆｉｒｅｗｉｒｅ（登録商標）、またはＵＳＩＢインタフェースであることが好適である。
さらに、様々な形式のメモリ・カードの便利な挿入または取り出しを可能にするフラッシュ・メモリ暗号化デバイスであって、
コンピュータ・ハウジングの中にはめ込まれたハウジングであって、前側パネルと室とを有し、前記前側パネルは前記コンピュータ・ハウジングから露出させることができ、さらに開口部を含む、ハウジングと、
前記の室の中に配設された印刷回路板と、
少なくとも１つのメモリ・カードの挿入または取り出しを行うために、前記印刷回路板に配設されて前記開口部の外側に露出した第１コネクタと、
前記第１コネクタからデータを受け取り、暗号化または解読、次いで出力を実行するために、印刷回路板の上に配設されて前記第１コネクタに結合されているコントローラと、
前記フラッシュ・メモリ暗号化デバイスをホスト・コンピュータに接続するために、前記印刷回路板の上に配設されて前記コントローラに結合されている第２コネクタと、からなる。
又、前記ハウジングを、前記コンピュータ・ハウジングの標準３．５インチ・ドライブ・ベイの中にはめ込むことができ、前記ハウジングはプラスチック材料で作られていることが好適である。
又、前記前側パネルがさらに、第２開口部と、第３開口部と、孔とを備えていることが好適である。
又、前記第１コネクタがさらに、前記メモリ・カードを排出するための、前記第２開口部から外側に露出した排出機構を含むことが好適である。
又、前記第３開口部から突き出てワイヤを通じて前記コントローラに結合されているロック・シートをさらに含み、これによって、暗号化／解読データ機能を実行するか否かについて前記コントローラを制御するために、前記ロック・シートの中にキーを挿入することができることが好適である。
又、前記コントローラのアクセス状況を表示するために、前記孔の中に配設されて前記コントローラに結合されたパワー・インジケータをさらに含むことが好適である。
又、前記第１コネクタが、様々なメモリ・カードをはめ込むためのある一定の機構を有するＰＣＭＣＩＡコネクタであることが好適である。
又、前記第１コネクタはＩＤＥインタフェースを有し、前記第２コネクタは、ＳＡＴＡ、ＩＤＥ、ＳＣＳＩ、ＵＳＢ、Ｆｉｒｅｗｉｒｅ、またはＵＳＩＢインタフェースであることが好適である。
又、前記コントローラが特定用途向け集積回路であることが好適である。
又、前記ハウジングがさらに、前記コンピュータ・ハウジングの内部へのダストを防止するために前記ハウジングの上を取り外し可能に被うことができるカバーを含むことが好適である。